(57)【特許請求の範囲】
【請求項１】
被観察体からの光が入射する装置本体と、該装置本体からの光を両眼に導く一対の接眼ユニットとを備え、前記装置本体は２つの貫通孔を有する壁部を備え、前記一対の接眼ユニットがそれぞれ前記装置本体の貫通孔に嵌合する嵌合筒部と、該嵌合筒部から偏心した接眼筒部と、前記装置本体の壁部の外面に当接する当接面とを備えた双眼装置において、前記一対の接眼ユニットの嵌合筒部に固定し前記一対の接眼ユニットを相互に逆方向に回動させる２つの連動部材を備え、これらの連動部材は、環状部と、前記装置本体の壁部の内面に圧接する圧接部とを有し、該圧接部は、前記環状部から径方向に延在する複数の突片部と、これらの突片部から径方向と直交する方向に突出する突起とを有することを特徴とする双眼装置。
【請求項２】
被観察体からの光が入射する装置本体と、該装置本体からの光を両眼に導く一対の接眼ユニットとを備え、前記装置本体は２つの貫通孔を有する壁部を備え、前記一対の接眼ユニットがそれぞれ前記装置本体の貫通孔に嵌合する嵌合筒部と、該嵌合筒部から偏心した接眼筒部と、前記装置本体の壁部の外面に当接する当接面とを備えた双眼装置において、前記一対の接眼ユニットの嵌合筒部に固定し、前記一対の接眼ユニットを相互に逆方向に回動させる２つの連動部材を備え、これらの連動部材は、環状部と、前記装置本体の壁部の内面に圧接する圧接部とを有し、該圧接部は、前記環状部の周縁に沿って延在する複数の突片部と、該複数の突片部の一部分をそれぞれ径方向と直交する方向に斜めに折り曲げた複数の傾斜部とを有することを特徴とする双眼装置。
【請求項３】
前記２つの連動部材は互いに同一形状を有することを特徴とする請求項１又は２に記載の双眼装置。
【請求項４】
前記複数の傾斜部のうちの半数は残りの半数の反対側に折り曲げたことを特徴とする請求項２又は３に記載の双眼装置。
【請求項５】
前記連動部材は金属材料のプレス加工又は樹脂材料の成型により形成したことを特徴とする請求項１〜４の何れか１つの請求項に記載の双眼装置。
【発明の詳細な説明】
【０００１】
【発明の属する技術分野】
本発明は、両眼で被観察体を拡大して見えるようにする双眼鏡、双眼顕微鏡等の双眼装置に関するものである。
【０００２】
【従来の技術】
従来のこの種の双眼装置は、被観察体からの光を導く装置本体と、この装置本体から両眼に光を導く両接眼ユニットと、装置本体に両接眼ユニットを外れないようにかつ回動自在に保持する保持手段と、両接眼ユニットを相互に反対方向に回動し得るように連動させる連動手段とから構成されている。
【０００３】
【発明が解決しようとする課題】
しかしながら上述した従来例は、装置本体に両接眼ユニットを回動自在に保持する保持手段と、両接眼ユニットを連動させる連動手段とを別個に備えているため、部品点数を多く必要とする上に組立作業を煩雑にし、製造コストの削減を困難にするという問題点がある。
【０００４】
本発明の目的は、上述した問題点を解消し、製造コストを削減し得る双眼装置を提供することにある。
【０００５】
【課題を解決するための手段】
上記目的を達成するための本発明に係る双眼装置は、被観察体からの光が入射する装置本体と、該装置本体からの光を両眼に導く一対の接眼ユニットとを備え、前記装置本体は２つの貫通孔を有する壁部を備え、前記一対の接眼ユニットがそれぞれ前記装置本体の貫通孔に嵌合する嵌合筒部と、該嵌合筒部から偏心した接眼筒部と、前記装置本体の壁部の外面に当接する当接面とを備えた双眼装置において、前記一対の接眼ユニットの嵌合筒部に固定し前記一対の接眼ユニットを相互に逆方向に回動させる２つの連動部材を備え、これらの連動部材は、環状部と、前記装置本体の壁部の内面に圧接する圧接部とを有し、該圧接部は、前記環状部から径方向に延在する複数の突片部と、これらの突片部から径方向と直交する方向に突出する突起とを有することを特徴とする。
また、本発明に係る双眼装置は、被観察体からの光が入射する装置本体と、該装置本体からの光を両眼に導く一対の接眼ユニットとを備え、前記装置本体は２つの貫通孔を有する壁部を備え、前記一対の接眼ユニットがそれぞれ前記装置本体の貫通孔に嵌合する嵌合筒部と、該嵌合筒部から偏心した接眼筒部と、前記装置本体の壁部の外面に当接する当接面とを備えた双眼装置において、前記一対の接眼ユニットの嵌合筒部に固定し、前記一対の接眼ユニットを相互に逆方向に回動させる２つの連動部材を備え、これらの連動部材は、環状部と、前記装置本体の壁部の内面に圧接する圧接部とを有し、該圧接部は、前記環状部の周縁に沿って延在する複数の突片部と、該複数の突片部の一部分をそれぞれ径方向と直交する方向に斜めに折り曲げた複数の傾斜部とを有することを特徴とする。
【０００６】
【発明の実施の形態】
本発明を図示の実施例に基づいて詳細に説明する。
図１は第１の実施例の要部断面図であり、例えば双眼鏡の装置本体１に一対の接眼ユニット２、３が入射光軸L1、L2を中心に回動自在にそれぞれ取り付けられ、これらの接眼ユニット２、３には連動機構４がねじ５により取り付けられている。装置本体１は入射光軸L1、L2に直交する外面１ａを有する壁部１ｂを備え、この壁部１ｂには入射光軸L1、L2をそれぞれ中心とする貫通孔１ｃ、１ｄが設けられている。
【０００７】
接眼ユニット２、３のユニット本体１１、１２には、入射光軸L1、L2を中心として装置本体１の貫通孔１ｃ、１ｄにそれぞれ嵌合される嵌合筒部１１ａ、１２ａと、入射光軸L1、L2から偏心した観察光軸L3、L4を中心として両眼E1、E2がそれぞれ接眼する接眼筒部１１ｂ、１２ｂと、これらの嵌合筒部１１ａ、１２ａと接眼筒部１１ｂ、１２ｂをそれぞれ連通する中間筒部１１ｃ、１２ｃとが設けられている。嵌合筒部１１ａ、１２ａと中間筒部１１ｂ、１２ｂの間の外面には、装置本体１の壁部１ｂの外面１ａに当接される当接面１１ｄ、１２ｄが設けられ、嵌合筒部１１ａ、１２ａの端面１１ｅ、１２ｅは装置本体１の壁部１ｂの内面から若干突出されている。
【０００８】
接眼ユニット２、３の中間筒部１１ｃ、１２ｃには、入射光軸L1、L2からずれた観察光軸L3、L4を作るための平行四辺形のプリズム１３、１４がそれぞれ配置されている。接眼筒部１１ｂ、１２ｂのプリズム１３、１４側には、レンズ１５、１６がそれぞれ配置され、接眼筒部１１ｂ、１２ｂの両眼E1、E2側には接眼レンズ１７、１８がそれぞれ配置されている。この際に、平行四辺形のプリズム１３、１４に代えて、ずれ光学系を形成する正立光学系のポロプリズム、ミラー等を使用してもよい。
【０００９】
図２の部分平面図に示すように、連動機構４は一方の接眼ユニット２の端面１１ｅに固定される第１の連動板２１と、他方の接眼ユニット３の端面１２ｅに固定される第２の連動板２２とから構成されている。これらの第１の連動板２１と第２の連動板２２は、金属板からのプレス加工か、合成樹脂からの成型により同一形状に形成されたものを裏表を変えて使用している。両連動板２１、２２には、入射光軸L1、L2を中心として光を通過させる円形孔２１ａ、２２ａを有し接眼ユニット２、３の端面１１ｅ、１２ｅにそれぞれ固定される環状部２１ｂ、２２ｂと、これらの環状部２１ｂ、２２ｂに連接して相互に噛合する歯部２１ｃ、２２ｃを有する突片部２１ｄ、２２ｄとがそれぞれ設けられている。また、環状部２１ｂ、２２ｂには、ねじ５を通す複数の孔２１ｅ、２２ｅと、外径方向に向かう複数の小突片２１ｆ、２２ｆとがそれぞれ形成されている。そして、小突片２１ｆ、２２ｆには、装置本体１の壁部１ｂの内面に圧接する突起２１ｇ、２２ｇがそれぞれ形成されている。
【００１０】
装置本体１に接眼ユニット２、３を組み付ける際には、装置本体１の貫通孔１ｃ、１ｄに接眼ユニット２、３の嵌合筒部１１ａ、１２ａをそれぞれ嵌合する。これにより、接眼ユニット２、３の当接面１１ｄ、１２ｄが装置本体１の外面１ａに当接すると共に、接眼ユニット２、３の端面１１ｅ、１２ｅが装置本体１の壁部１ｂの内面からそれぞれ若干突出する。この状態で、連動板２１、２２の突起２１ｇ、２２ｇを装置本体１の壁部１ｂ側に向け、連動板２１、２２の歯部２１ｃ、２２ｃを噛合させ、連動板２１、２２の孔２１ｅ、２２ｅからねじ５を接眼ユニット２、３のねじ孔に螺合し、連動板２１、２２を接眼ユニット２、３にそれぞれ固定する。
【００１１】
これにより、連動板２１、２２の突起２１ｇ、２２ｇが装置本体１の壁部１ｂに適度な付勢力で圧接すると共に、接眼ユニット２、３の接合面１１ｄ、１２ｄが装置本体１の外面１ａに適度な摩擦力で当接し、接眼ユニット２、３は装置本体１から外れることなく回動自在となる。そして、一方の例えば接眼ユニット２が回動した際には、接眼ユニット２の嵌合筒部１１ａが入射光軸L1を中心として適度な負荷で回動すると共に、他方の接眼ユニット３の嵌合筒部１２ａも入射光軸L2を中心として適度な負荷で従動し、接眼ユニット２、３の接眼筒部１１ｂ、１２ｂが回動して、観察光軸L3、L4の間隔が変化する。
【００１２】
このように第１の実施例では、装置本体１の貫通孔１ｃ、１ｄに嵌合した接眼ユニット２、３の嵌合筒部１１ａ、１２ａに固定された接眼ユニット２、３を、相互に逆方向に回動させる２つの連動板２１、２２を備え、これらの連動板２１、２２は装置本体１の壁部１ｂの内面に圧接する突起２１ｇ、２２ｇを有するので、２個の連動板２１、２２で一対の接眼ユニット２、３を装置本体１から外れることなく連動し得るように構成できる。従って、部品点数を従来よりも減少することができる上に、装置本体１に接眼ユニット２、３を組み付ける作業性を向上させることができ、製造コストの削減に加えて小型化も可能となる。
【００１３】
図３は第２の実施例の部分平面図であり、第１の実施例の連動機構４には同一形状の２個の連動板３１が使用されている。この際に、一方の連動板３１は裏返された状態で他方の連動板３１に噛合されている。連動板３１には第１の実施例と同様な円形孔３１ａを有する環状部３１ｂと、歯部３１ｃを有する突片部３１ｄとが設けられている反面で、環状部３１ｂの周縁には、第１の実施例とは異なる形状の周方向に対向するように延在する小突片３１ｆ、３１ｇが例えば３個所に形成されている。そして、これらの小突片３１ｆ、３１ｇは、径方向に直交する方向で相互に反対側に向かって傾斜するように折り曲げられている。
【００１４】
この連動板３１を接眼ユニット２、３に第１の実施例と同様に固定すると、一方の連動板３１の小突片３１ｆが装置本体１の壁部１ｂに適度な付勢力で圧接し、他方の連動板３１の小突片３１ｇが装置本体１の壁部１ｂに適度な付勢力で圧接して、接眼ユニット２、３を装置本体１に第１の実施例と同様に保持する。
【００１５】
この第２の実施例では、第１の実施例と同様な効果を得ることができる上に、同一形状の連動板３１を裏返して使用するので、接眼ユニット２、３の負荷を均等にして左右の操作力の差を減らすことができ、安定した操作力を与えることが可能となる。更に、連動板３１を裏返して使用することにより、プレス加工の場合にはバリ同士の衝突を避けることができ、合成樹脂からの成型の場合にはパーティングライン同士の衝突を避けることが可能となる。
【００１６】
なお、上述した実施例において、連動板２１、２２には付勢作用を有する小突片２１ｆ、２２ｆと突起２１ｇ、２２ｇをそれぞれ設け、連動板３１には付勢作用を有する小突片３１ｆ、３１ｇを設けたが、これらに相当する付勢作用を有する部分を装置本体１側に形成してもよい。また、実施例では双眼鏡について説明したが、実体顕微鏡等にも適用できることは云うまでもない。
【００１７】
【発明の効果】
以上説明したように本発明に係る双眼装置は、装置本体の貫通孔に嵌合した接眼ユニットの嵌合筒部に固定されて接眼ユニットを相互に逆方向に回動させる２つの連動部材を備え、これらの連動部材は装置本体の壁部の内面に圧接する圧接部を有するので、２個の部品で一対の接眼ユニットを装置本体から外れないようにかつ連動し得るように構成できる。従って、部品点数を従来よりも減らすことができる上に、装置本体に接眼ユニットを組み付ける作業性を向上させることができ、製造コストの削減が可能となる。
【図面の簡単な説明】
【図１】第１の実施例の要部断面図である。
【図２】連動板の平面図である。
【図３】第２の実施例の連動板の平面図である。
【符号の説明】
１  装置本体
１ａ  外面
１ｂ  壁部
１ｃ、１ｄ  貫通孔
２、３  接眼ユニット
１１、１２  ユニット本体
１１ａ、１２ａ  嵌合筒部
１１ｃ、１２ｃ  接眼筒部
１１ｄ、１２ｄ  当接面
１１ｅ、１２ｅ  端面
２１、２２、３１  連動板
２１ｆ、２２ｆ、３１ｆ、３１ｇ  小突片
２１ｇ、２２ｇ  突起
【図１】
0003794519.tif 000002
【図２】
0003794519.tif 000003
【図３】
0003794519.tif 000004